(57)【要約】【課題】電動送風機の吸気部前の塵埃付着集中による通気抵抗増加を抑え、高い吸い込み性能を維持できる電気掃除機を低コストで提供する。【解決手段】吸引風を発する電動送風機と、塵埃を捕集する集塵袋を収納する集塵室を有する電気掃除機において、前記電動送風機から発した吸引風が集塵袋に作用した場合に、前記集塵袋の吸引風下流側に、前記集塵袋の少なくとも一部を上流側に押し付ける突出部を設けた。【選択図】図３
2011183013.tif 000002
【特許請求の範囲】
【請求項１】
吸引風を発する電動送風機と、塵埃を捕集する集塵袋を収納する集塵室を有する電気掃除機において、前記電動送風機から発した吸引風が集塵袋に作用した場合に、前記集塵袋の吸引風下流側に、前記集塵袋の少なくとも一部を上流側に押し付ける突出部を設けたことを特徴とする電気掃除機。
【請求項２】
突出部は、吸引風上流側に凸の、くの字状または曲線状であることを特徴とする請求項１記載の電気掃除機。
【請求項３】
突出部は、吸引風上流側に凸の、半円球状または山状であることを特徴とする請求項１記載の電気掃除機。
【請求項４】
集塵室に、振動によって集塵袋の内面に付着した塵埃を除塵する除塵板を設け、前記除塵板の通気経路の一部に突出部を設けたことを特徴とする請求項１から３のいずれか１項に記載の電気掃除機。
【請求項５】
集塵袋を収納した集塵袋ケースを設け、前記集塵袋ケースの通気経路の一部に突出部を設けたことを特徴とする請求項１から３のいずれか１項に記載の電気掃除機。
【請求項６】
電動送風機の吸気側前方に吸気格子を設け、前記吸気格子の一部に突出部を設けたことを特徴とする請求項１から３のいずれか１項に記載の電気掃除機。
【請求項７】
集塵室から電動送風機室に通ずる通気路に電気送風機への異物侵入を防止する通気フィルターを設け、前記通気フィルターの一部に突出部を設けたことを特徴とする請求項１から３のいずれか１項に記載の電気掃除機。
【発明の詳細な説明】
【技術分野】
【０００１】
本発明は集塵袋に塵埃が蓄積しても吸引力の低下を防止できる電気掃除機に関するものである。
【背景技術】
【０００２】
従来のこの種の集塵袋に塵埃が蓄積しても吸引力の低下を防止する機能を備えた電気掃除機に関しては、除塵手段を設けたものが提案されている（例えば、特許文献１参照）。このような電気掃除機の構成では、後方の電動送風機室に収納され吸引風を発する電動送風機と、前記電動送風機室と仕切壁で仕切られた前方の集塵室に収納され塵埃を捕集する集塵手段と、前記集塵手段に付着した塵埃を除塵する除塵手段とを備え、前記除塵手段は、電磁石により磁界を発生させる振動装置と、前記振動装置に設けられ振動するアームと、前記アームに挿入され前記集塵手段に動作を加え通気性を有する除塵部とからなり、前記アームおよび前記除塵部は前記集塵室内部に設けるとともに、前記振動装置は前記集塵室外の集塵室下方に格納し、前記アームを前記集塵室内へ突出する構成としてなるものであり、前記吸引風を停止した際に、振動装置によって集塵手段を加振して、集塵手段に付着した塵埃をふるい落とすものである。
【先行技術文献】
【特許文献】
【０００３】
【特許文献１】特許第３９５０４０９号公報
【発明の概要】
【発明が解決しようとする課題】
【０００４】
しかしながら、前記従来の構成では、電動送風機で発生させられ集塵手段を通過する吸引風は、そのまま通気性を有する除塵部を通過できるため、一旦ふるい落とした塵埃が再び電動送風機の吸引風によって集塵手段に付着してしまうので、吸い込み性能が低下しやすいものであった。また、除塵をおこなうための電磁石などからなる振動装置が必要で、コストが高くかかっていた。
【０００５】
本発明は上記従来の課題を解決するものであって、集塵袋の一部分に塵埃が集中するのを防止することで、高い吸い込み性能を維持できる電気掃除機を低コストで提供することを目的とする。
【課題を解決するための手段】
【０００６】
上記従来の課題を解決するために、本発明は、吸引風を発する電動送風機と、塵埃を捕集する集塵袋を収納する集塵室を有する電気掃除機において、前記電動送風機から発した吸引風が集塵袋に作用した場合に、前記集塵袋の吸引風下流側に、前記集塵袋の少なくとも一部を上流側に押し付ける突出部を設けたものである。
【０００７】
上記構成により、吸気口から集塵袋内に吸引された空気流は、電動送風機が発する吸引圧が最も集中する部分に向かうが、その部分の外側に突出部を設けたため、集塵袋のその部分は吸気口側（吸引風上流側）へ変形し、その形状で、空気流は集塵袋の上下左右の側壁あるいは吸気口のある前面方向へと旋回流れが発生する。この空気流によって、集塵袋の吸引圧が最も集中する部分には塵埃が付着しにくくなり、それ以外の部分から塵埃が捕集されるので、集塵袋全体として、集中的な塵埃たまりによる通気抵抗の増加を極力抑えることができ、高い吸い込み性能の維持が可能な電気掃除機が低コストで提供できるものである。
【発明の効果】
【０００８】
本発明の電気掃除機は、集塵袋の吸引圧が最も集中する部分への塵埃集中を防止することができ、高い吸い込み性能を維持することが可能となる。また不通気部を設けるだけなので、安価に実現することができる。
【図面の簡単な説明】
【０００９】
【図１】本発明の実施の形態における電気掃除機の全体斜視図
【図２】同電気掃除機の断面図
【図３】同電気掃除機の本体蓋なし状態の斜視図
【図４】同電気掃除機の集塵袋ケースの斜視図
【発明を実施するための形態】
【００１０】
本発明は、吸引風を発する電動送風機と、塵埃を捕集する集塵袋を収納する集塵室を有する電気掃除機において、前記電動送風機から発した吸引風が集塵袋に作用した場合に、前記集塵袋の吸引風下流側に、前記集塵袋の少なくとも一部を上流側に押し付ける突出部を設けたもので、集塵袋内の旋回気流によって、塵埃が一部に集中して通気抵抗が増加することを抑えることができる。
【００１１】
また突出部はくの字状、半円状、または山形状に突出させたので、空気流を集塵室内の上下左右全周方向に分散させるとともに、吸気口側へ旋回流が発生しやすくなる。
【００１２】
（実施の形態１）
以下、本発明の第１の実施の形態における電気掃除機について、図１〜図４を用いて説明する。電気掃除機本体１の後部には電動送風機２が内蔵され、前部には着脱自在で塵埃を捕集するエレクトレット加工された集塵袋４を収納する集塵室５が配され、後方下部の両側に１対の走行用の車輪６が回転自在に取着されている。電気掃除機本体１の前部には、ホース８の一端に設けた接続パイプ９が着脱自在に接続される吸入口１０が設けられている。
【００１３】
前記エレクトレット加工された集塵袋４の材質はポリプロピレン等の熱可塑性繊維で構成されており、空気等の摩擦で帯電することになる。また図４に示すように、ごみ捨てが簡単に行えるように、集塵袋４が集塵袋ケース１４に収められて、それらが一体となり集塵室５に収められている。
【００１４】
ホース８の他端には、掃除の際に握る把手１１を備えた先端パイプ１２が設けられており、伸縮自在或いは継ぎ自在の延長管１３が着脱自在に接続されている。延長管１３の他端は、塵埃掻き揚げ用の回転ブラシやその回転ブラシを回転駆動するモーターを内蔵した吸込具１６に着脱自在に接続される。
【００１５】
電動送風機２の前部は、弾性材料からなるサポート前２０で、後部は、同じく弾性材料からなるサポート後２１で、電動送風機室３内に支持されており、モーターケース２２とモーターカバー２３にて、前記サポート前２０とサポート後２１を挟持している。
【００１６】
電動送風機２の吸気側前方に構成した吸気格子を有するモーター前壁２４の吸気側前方に振動板２６を有し、この振動板２６は集塵袋に当接しており、これが振動することによって集塵袋をたたき、集塵袋内面に付着した塵埃を除塵する。なお電動送風機２に電力を供給するための電源コード２５の引き出し動作などと連動して振動が起きるような構成となっている。さらに振動板２６には電気掃除機本体１の吸気口１０に対向する位置で、集塵袋の外側で電動送風機２から発した吸引圧が最も集中する部分に、山形で中央が突出し
た形状の不通気部２７を設けている。
【００１７】
なお、この不通気部２７には、電動送風機２の吸気効率性能とのバランスをとるために、小孔等を設けることも可能である。また、山状でなくとも、半円球状であっても良い。さらには不通気部２７に代え、くの字状や曲線状のリブであっても良い。つまり電動送風機２から発した吸引風が集塵袋４に作用した場合に、集塵袋４の少なくとも一部が上流側に向けて押し付けられ、その部分が変形するような突出部であれば良い。
【００１８】
上記構成による作用は以下の通りである。電動送風機２を運転させると、吸込具１６から吸込まれた空気と塵埃は延長管１３、ホース８を通り、電気掃除機本体１内へと吸込まれる。電気掃除機本体１内では集塵袋４で塵埃が捕集されて、濾過された空気は電動送風機２を通過して、本体内の排気口２８から排気風が排出される。
【００１９】
このとき、振動板２６に形成した山形に中央が突出した不通気部２７が集塵袋４にほぼ接触しているので、本体１の吸気口１０から集塵袋４内に吸い込まれた空気流と塵埃は、この不通気部２７による通気抵抗があるため、山形状に突出させた不通気部２７の形状に沿って、集塵袋４内の上下左右全周方向に分散して流れるようになる。そして集塵袋４の吸気口に相対する面以外から塵埃が多く捕集される。つまり集塵袋４の不通気部に対応する部分には塵埃が集中して付着することがなくなり、集塵袋４全体としての通気抵抗が増加するのを極力抑えられるので、高い吸い込み性能の維持が可能となる。
【００２０】
なお、上記実施形態では、不通気部を振動板に設けたが、これに代えて、集塵袋ケース自体に不通気部設けても同様な作用効果が期待できる。さらに振動板２６自体を設けない場合には、電動送風機２の吸気側前方に構成した吸気格子を有するモーター前壁２４の一部に不通気部を設ければ同様な作用効果が期待できる。また、集塵室から電動送風機室に通ずる通気路に電気送風機への異物侵入防止の通気フィルターが一般的に設けられており、この通気フィルターの一部に不通気部を設けることもできる。
【産業上の利用可能性】
【００２１】
以上のように、本発明にかかる電気掃除機は、簡便な手段により高い吸い込み性能維持に優れた各種家庭用、業務用電気掃除機等に広く適用できる。
【符号の説明】
【００２２】
１  電気掃除機本体
２  電動送風機
４  集塵袋
５  集塵室
１０  吸気口
１４  集塵袋ケース
２４  モーター前壁
２６  除塵板
２７  不通気部
【図１】
2011183013.tif 000003
【図２】
2011183013.tif 000004
【図３】
2011183013.tif 000005
【図４】
2011183013.tif 000006